(57)【要約】【課題】媒体における記録内容に応じた排出先に媒体を排出する。【解決手段】記録ヘッド１０における記録処理後の媒体を排出する第１排出ローラー対３１及び第２排出ローラー対３２と、排出される媒体を受ける第１媒体受けトレイ４１と、鉛直方向に沿う高さ方向において第１媒体受けトレイ４１の下方に設けられ、排出される媒体を受ける第２媒体受けトレイ４２と、媒体の排出先を、第１媒体受けトレイ４１と第２媒体受けトレイ４２とのいずれかに切り換える制御部１９と、を備え、第１媒体受けトレイ４１は、第２媒体受けトレイ４２の上部を覆い、媒体を受ける第１状態と、第２媒体受けトレイ４２の少なくとも一部を開放し、第２媒体受けトレイ４２に媒体が受けられるようにする第２状態と、の間で変位可能に構成され、制御部１９は、排出される媒体における記録データに基づいて、第１媒体受けトレイ４１の第１状態と第２状態とを切り換える。【選択図】図１
2020011810.tif 000002
【特許請求の範囲】
【請求項１】
媒体に処理を行う処理部と、
前記処理部における処理後の媒体を排出する排出手段と、
前記排出手段で排出される前記媒体を受ける第１媒体受けトレイと、
鉛直方向に沿う高さ方向において前記第１媒体受けトレイの下方に設けられ、前記排出手段で排出される前記媒体を受ける第２媒体受けトレイと、
前記排出手段によって排出される前記媒体の排出先を、前記第１媒体受けトレイと前記第２媒体受けトレイとのいずれかに切り換える制御部と、を備え、
前記第１媒体受けトレイは、前記第２媒体受けトレイの上部を覆い、前記媒体を受ける第１状態と、前記第２媒体受けトレイの少なくとも一部を開放し、前記第２媒体受けトレイに前記媒体が受けられるようにする第２状態と、の間で変位可能に構成され、
前記制御部は、前記排出手段によって排出される前記媒体における記録データに基づいて、前記第１媒体受けトレイの前記第１状態と前記第２状態とを切り換える、
ことを特徴とする媒体処理装置。
【請求項２】
請求項１に記載の媒体処理装置において、
前記第１媒体受けトレイは、媒体排出方向の下流側に回動軸を有し、前記第１状態と前記第２状態との間で回動可能に構成されている、
ことを特徴とする媒体処理装置。
【請求項３】
媒体に処理を行う処理部と、
前記処理部における処理後の媒体を排出する排出手段と、
前記排出手段で排出される前記媒体を受ける第１媒体受けトレイと、
鉛直方向に沿う高さ方向において前記第１媒体受けトレイの下方に設けられ、前記排出手段で排出される前記媒体を受ける第２媒体受けトレイと、
前記排出手段によって排出される前記媒体の排出先を、前記第１媒体受けトレイと前記第２媒体受けトレイとのいずれかに切り換える制御部と、を備え、
前記第１媒体受けトレイ及び前記第２媒体受けトレイは、前記高さ方向における相対的な位置関係を維持しつつ、前記第１媒体受けトレイが前記媒体を受ける第１位置と、前記第２媒体受けトレイが前記媒体を受ける第２位置と、の間で変位可能に構成され、
前記制御部は、前記排出手段によって排出される前記媒体における記録データに基づいて、前記第１媒体受けトレイ及び前記第２媒体受けトレイの前記第１位置と前記第２位置とを切り換える、
ことを特徴とする媒体処理装置。
【請求項４】
請求項１から請求項３のいずれか一項に記載の媒体処理装置において、
通信回線を介してデータを送受信可能なファクシミリ機能を備え、
前記処理部は、前記媒体に記録処理を行う記録部であり、
前記制御部は、前記記録データが、ファクシミリの受信データである場合に、前記媒体の排出先を前記第２媒体受けトレイにする、
ことを特徴とする媒体処理装置。
【請求項５】
請求項１から請求項３のいずれか一項に記載の媒体処理装置において、
前記処理部は、前記媒体に記録処理を行う記録部であり、
前記制御部は、前記記録データに、所定の文字が含まれている場合に、前記媒体の排出先を前記第２媒体受けトレイにする、
ことを特徴とする媒体処理装置。
【請求項６】
請求項１から請求項３のいずれか一項に記載の媒体処理装置において、
前記処理部は、前記媒体に記録処理を行う記録部であり、
前記制御部は、前記記録データに、電子透かし情報が含まれている場合に、前記媒体の排出先を前記第２媒体受けトレイにする、
ことを特徴とする媒体処理装置。
【請求項７】
請求項１から請求項６のいずれか一項に記載の媒体処理装置において、
前記制御部は、前記処理部における処理前に設定された排出先である第１の排出先と、前記記録データに基づいて前記制御部が決定する排出先である第２の排出先と、が異なる場合に、前記媒体の排出先を前記第２の排出先にする、
ことを特徴とする媒体処理装置。
【請求項８】
請求項１から請求項７のいずれか一項に記載の媒体処理装置において、
前記第１媒体受けトレイは、不透明な材料により形成されている、
ことを特徴とする媒体処理装置。
【請求項９】
請求項１から請求項８のいずれか一項に記載の媒体処理装置において、
前記第２媒体受けトレイは、底部に媒体取り出し部を備える、
ことを特徴とする媒体処理装置。
【請求項１０】
請求項１から請求項９のいずれか一項に記載の媒体処理装置において、
前記第１媒体受けトレイは、前記媒体の媒体排出方向下流側への移動を規制する下流側規制部を備え、
前記下流側規制部は、前記第１媒体受けトレイに載置された前記媒体の前記媒体排出方向下流側への移動を規制する規制状態と、前記媒体の前記媒体排出方向下流側への移動を許容する許容状態と、の間で切り換え可能に構成されている、
ことを特徴とする媒体処理装置。
【発明の詳細な説明】
【技術分野】
【０００１】
本発明は、媒体に処理を行う媒体処理装置に関する。
【背景技術】
【０００２】
媒体処理装置の一例として、プリンターやファクシミリに代表される記録装置がある。記録装置は、媒体に記録処理を行う装置である。また、媒体処理装置において、排出される媒体を仕分けるソータが併設される場合がある。  
ソータとしては、上下方向に複数配設されたビンと、媒体処理装置から排出された媒体を受け取り、任意のビンに排出する排出手段とを備えたものがある。  
特許文献１には、ソータの一例として、複数配設されたビンが、装置に対して位置が固定された排出手段に対して上下方向に移動して媒体を収容する構成が開示されている。
【先行技術文献】
【特許文献】
【０００３】
【特許文献１】特開平５−７００３１号公報
【発明の概要】
【発明が解決しようとする課題】
【０００４】
ここで、例えば記録装置がオフィス等で共用される場合、記録装置から排出された記録後の媒体が、記録を実行した人以外の他人の目に触れる虞がある。記録装置がファクシミリである場合には、媒体が名宛人以外の他人の目に触れる虞がある。  
媒体への記録が機密性の高い内容である場合、記録後の媒体が不特定多数の人の目に触れることは好ましくない。
【課題を解決するための手段】
【０００５】
上記課題を解決する本発明の媒体処理装置は、媒体に処理を行う処理部と、前記処理部における処理後の媒体を排出する排出手段と、前記排出手段で排出される前記媒体を受ける第１媒体受けトレイと、鉛直方向に沿う高さ方向において前記第１媒体受けトレイの下方に設けられ、前記排出手段で排出される前記媒体を受ける第２媒体受けトレイと、前記排出手段によって排出される前記媒体の排出先を、前記第１媒体受けトレイと前記第２媒体受けトレイとのいずれかに切り換える制御部と、を備え、前記第１媒体受けトレイは、前記第２媒体受けトレイの上部を覆い、前記媒体を受ける第１状態と、前記第２媒体受けトレイの少なくとも一部を開放し、前記第２媒体受けトレイに前記媒体が受けられるようにする第２状態と、の間で変位可能に構成され、前記制御部は、前記排出手段によって排出される前記媒体における記録データに基づいて、前記第１媒体受けトレイの前記第１状態と前記第２状態とを切り換える、ことを特徴とする。
【図面の簡単な説明】
【０００６】
【図１】本発明に係るプリンターの概略側断面図。
【図２】第１実施形態に係る媒体受け部の概略斜視図。
【図３】第１実施形態に係る媒体受け部において、第１媒体受けトレイに媒体を受ける第１状態と第２媒体受けトレイに媒体を受ける第２状態とを示す概略側断面図。
【図４】制御部による制御について説明するフローチャート。
【図５】第１実施形態に係る媒体受け部の第１の変更例を示す概略側断面図。
【図６】第１実施形態に係る媒体受け部の第２の変更例を示す概略側断面図。
【図７】第１実施形態に係る媒体受け部の第３の変更例を示す概略側断面図。
【図８】第２実施形態に係る媒体受け部において、第１媒体受けトレイに媒体を受ける第１位置と第２媒体受けトレイに媒体を受ける第２位置とを示す概略側断面図。
【発明を実施するための形態】
【０００７】
以下、本発明について概略的に説明する。  
本発明の第１の態様に係る媒体処理装置は、媒体に処理を行う処理部と、前記処理部における処理後の媒体を排出する排出手段と、前記排出手段で排出される前記媒体を受ける第１媒体受けトレイと、鉛直方向に沿う高さ方向において前記第１媒体受けトレイの下方に設けられ、前記排出手段で排出される前記媒体を受ける第２媒体受けトレイと、前記排出手段によって排出される前記媒体の排出先を、前記第１媒体受けトレイと前記第２媒体受けトレイとのいずれかに切り換える制御部と、を備え、前記第１媒体受けトレイは、前記第２媒体受けトレイの上部を覆い、前記媒体を受ける第１状態と、前記第２媒体受けトレイの少なくとも一部を開放し、前記第２媒体受けトレイに前記媒体が受けられるようにする第２状態と、の間で変位可能に構成され、前記制御部は、前記排出手段によって排出される前記媒体における記録データに基づいて、前記第１媒体受けトレイの前記第１状態と前記第２状態とを切り換える、ことを特徴とする。
【０００８】
本態様によれば、前記第１媒体受けトレイは、前記第２媒体受けトレイの上部を覆い、前記媒体を受ける第１状態と、前記第２媒体受けトレイの少なくとも一部を開放し、前記第２媒体受けトレイに前記媒体が受けられるようにする第２状態と、の間で変位可能に構成されるので、前記第１媒体受けトレイを前記第２状態にして、前記第２媒体受けトレイに前記媒体を受け、前記第１媒体受けトレイを前記第１状態にして、前記第２媒体受けトレイに排出された前記媒体が外部から視認され難い構成とすることができる。  
そして、前記制御部は、前記排出手段によって排出される前記媒体における記録データに基づいて、前記第１媒体受けトレイの前記第１状態と前記第２状態とを切り換えるので、前記媒体における記録内容に応じて、当該媒体を前記第１媒体受けトレイに排出するか、外部から視認され難い前記第２媒体受けトレイに排出するか、を選択することができる。
【０００９】
尚、本明細書において、「排出手段によって排出される媒体における記録データ」とは、例えば、前記媒体処理装置が、媒体に対して記録処理を行う記録部を前記処理部として備える記録装置である場合には、記録部によって記録されるデータを意味する。また、例えば、前記媒体処理装置が、媒体に対して読み取り処理を行う読取部を前記処理部として備える画像読取装置である場合には、「排出手段によって排出される媒体における記録データ」は、読み取られる媒体に記録されているデータを意味する。
【００１０】
本発明の第２の態様は、第１の態様において、前記第１媒体受けトレイは、媒体排出方向の下流側に回動軸を有し、前記第１状態と前記第２状態との間で回動可能に構成されている、ことを特徴とする。
【００１１】
本態様によれば、前記第１媒体受けトレイの前記第１状態と前記第２状態との切り換えを簡単な構成で実現できる。
【００１２】
本発明の第３の態様に係る媒体処理装置は、媒体に処理を行う処理部と、前記処理部における処理後の媒体を排出する排出手段と、前記排出手段で排出される前記媒体を受ける第１媒体受けトレイと、鉛直方向に沿う高さ方向において前記第１媒体受けトレイの下方に設けられ、前記排出手段で排出される前記媒体を受ける第２媒体受けトレイと、前記排出手段によって排出される前記媒体の排出先を、前記第１媒体受けトレイと前記第２媒体受けトレイとのいずれかに切り換える制御部と、を備え、前記第１媒体受けトレイ及び前記第２媒体受けトレイは、前記高さ方向における相対的な位置関係を維持しつつ、前記第１媒体受けトレイが前記媒体を受ける第１位置と、前記第２媒体受けトレイが前記媒体を受ける第２位置と、の間で変位可能に構成され、前記制御部は、前記排出手段によって排出される前記媒体における記録データに基づいて、前記第１媒体受けトレイ及び前記第２媒体受けトレイの前記第１位置と前記第２位置とを切り換える、ことを特徴とする。
【００１３】
本態様によれば、前記第１媒体受けトレイ及び前記第１媒体受けトレイの下方に設けられる前記第２媒体受けトレイが、前記高さ方向における相対的な位置関係を維持しつつ、前記第１媒体受けトレイが前記媒体を受ける第１位置と、前記第２媒体受けトレイが前記媒体を受ける第２位置と、の間で変位可能に構成されるので、前記第２媒体受けトレイに排出された前記媒体が外部から視認され難い構成とすることができる。  
そして、前記制御部は、前記排出手段によって排出される前記媒体における記録データに基づいて、前記第１媒体受けトレイ及び前記第２媒体受けトレイの前記第１位置と前記第２位置とを切り換えるので、前記媒体における記録内容に応じて、当該媒体を前記第１媒体受けトレイに排出するか、外部から視認され難い前記第２媒体受けトレイに排出するか、を選択することができる。
【００１４】
本発明の第４の態様は、第１の態様から第３の態様のいずれかにおいて、通信回線を介してデータを送受信可能なファクシミリ機能を備え、前記処理部は、前記媒体に記録処理を行う記録部であり、前記制御部は、前記記録データが、ファクシミリの受信データである場合に、前記媒体の排出先を前記第２媒体受けトレイにする、ことを特徴とする。
【００１５】
ファクシミリから受信したデータには、機密情報が含まれる場合がある。  
本態様によれば、通信回線を介してデータを送受信可能なファクシミリ機能を備え、前記処理部は、前記媒体に記録処理を行う記録部であり、前記制御部は、前記記録データが、ファクシミリの受信データである場合に、前記媒体の排出先を前記第２媒体受けトレイにするので、機密情報が含まれる可能性のある書類を、人目に触れ難い第２媒体受けトレイに排出する構成とすることができる。
【００１６】
本発明の第５の態様は、第１の態様から第３の態様のいずれかにおいて、前記処理部は、前記媒体に記録処理を行う記録部であり、前記制御部は、前記記録データに、所定の文字が含まれている場合に、前記媒体の排出先を前記第２媒体受けトレイにする、ことを特徴とする。
【００１７】
本態様によれば、前記処理部は、前記媒体に記録処理を行う記録部であり、前記制御部は、前記記録データに、所定の文字が含まれている場合に、前記媒体の排出先を前記第２媒体受けトレイにするので、例えば、前記記録データに「秘密」、「社外秘」、「ｃｏｎｆｉｄｅｎｔｉａｌ」等の機密情報を意味する文字が含まれている場合に、人目に触れ難い第２媒体受けトレイに媒体を排出する構成とすることができる。
【００１８】
本発明の第６の態様は、第１の態様から第３の態様のいずれかにおいて、前記処理部は、前記媒体に記録処理を行う記録部であり、前記制御部は、前記記録データに、電子透かし情報が含まれている場合に、前記媒体の排出先を前記第２媒体受けトレイにする、ことを特徴とする。
【００１９】
電子データで作成した書類には、「秘密」、「社外秘」、「ｃｏｎｆｉｄｅｎｔｉａｌ」等の機密情報を意味する文字を電子透かしとして入れる場合がある。  
本態様によれば、前記処理部は、前記媒体に記録処理を行う記録部であり、前記制御部は、前記記録データに、電子透かし情報が含まれている場合に、前記媒体の排出先を前記第２媒体受けトレイにするので、機密情報が含まれる可能性のある書類を、人目に触れ難い第２媒体受けトレイに排出する構成とすることができる。
【００２０】
本発明の第７の態様は、第１の態様から第６の態様のいずれかにおいて、前記制御部は、前記処理部における処理前に設定された排出先である第１の排出先と、前記記録データに基づいて前記制御部が決定する排出先である第２の排出先と、が異なる場合に、前記媒体の排出先を前記第２の排出先にする、ことを特徴とする。
【００２１】
本態様によれば、前記制御部は、前記処理部における処理前に設定された排出先である第１の排出先と、前記記録データに基づいて前記制御部が決定する排出先である第２の排出先と、が異なる場合に、前記媒体の排出先を前記第２の排出先にするので、予め設定された第１の排出先か、前記制御部が決定する第２の排出先か、のいずれかが第２媒体受けトレイである場合に、前記媒体を第２媒体受けトレイに排出することができる。
【００２２】
本発明の第８の態様は、第１の態様から第７の態様のいずれかにおいて、前記第１媒体受けトレイは、不透明な材料により形成されている、ことを特徴とする。
【００２３】
本態様によれば、前記第１媒体受けトレイは、不透明な材料により形成されているので、前記第２媒体受けトレイに排出された媒体を外部から視認し難い構成とすることができる。
【００２４】
本発明の第９の態様は、第１の態様から第８の態様のいずれかにおいて、前記第２媒体受けトレイは、底部に媒体取り出し部を備える、ことを特徴とする。
【００２５】
本態様によれば、前記第２媒体受けトレイは、底部に媒体取り出し部を備えるので、前記第２媒体受けトレイに排出された媒体を容易に取り出すことができる。
【００２６】
本発明の第１０の態様は、第１の態様から第９の態様のいずれかにおいて、前記第１媒体受けトレイは、前記媒体の媒体排出方向下流側への移動を規制する下流側規制部を備え、前記下流側規制部は、前記第１媒体受けトレイに載置された前記媒体の前記媒体排出方向下流側への移動を規制する規制状態と、前記媒体の前記媒体排出方向下流側への移動を許容する許容状態と、の間で切り換え可能に構成されている、ことを特徴とする。
【００２７】
本態様によれば、前記第１媒体受けトレイは、前記媒体の媒体排出方向下流側への移動を規制する下流側規制部を備えるので、前記第１媒体受けトレイ上において媒体の下流側端部を揃えることができるとともに、前記下流側規制部は、前記第１媒体受けトレイに載置された前記媒体の前記媒体排出方向下流側への移動を規制する規制状態と、前記媒体の前記媒体排出方向下流側への移動を許容する許容状態と、の間で切り換え可能に構成されているので、前記第１媒体受けトレイに排出された媒体を取り出す場合には前記下流側規制部を前記許容状態にして、媒体を容易に取り出すことができる。
【００２８】
［第１実施形態］
本発明の一実施形態に係る「媒体処理装置」の一例である記録装置について、図を参照しつつ説明する。記録装置の一例として、インクジェットプリンター１について説明する。以下、インクジェットプリンター１を単にプリンター１という。  
尚、各図において示すＸ−Ｙ−Ｚ座標系は、Ｘ方向が記録部としての記録ヘッドの走査方向であり、記録が行われる媒体の幅方向である。Ｙ方向が装置奥行方向であり、概ね媒体搬送方向に沿う方向である。Ｚ方向は重力方向に沿う方向であり、装置高さ方向である。また、＋Ｙ方向側を装置前面側とし、−Ｙ方向側を装置背面側とする。また、装置前面側から見て左側を＋Ｘ方向、右側を−Ｘ方向とする。また、＋Ｚ方向を上方（上部、上面等を含む）と言い、−Ｚ方向側を下方（下部、下面等を含む）と言う。また、プリンター１において媒体が搬送されていく搬送方向を「下流」と言い、これと反対の方向を「上流」と言う。
【００２９】
■■■プリンターの概要■■■
以下、図１を参照して、プリンター１の概要について説明する。  
図１に示すプリンター１は、スキャナー部４と、記録ユニット２と、液体格納ユニット３と、を備えて構成されている。  
記録ユニット２は、媒体に記録処理を行う「記録部」としての記録ヘッド１０を含む各種構成部を内部に備えている。記録ヘッド１０は、媒体に処理を行う「処理部」の一例でもある。
【００３０】
記録ヘッド１０の下方に位置するヘッド面には、媒体搬送方向であるＹ軸方向に間隔を空けて配置される複数のノズル１１が設けられている。記録ヘッド１０は、装置幅方向であるＸ軸方向に移動可能なキャリッジ２７に搭載されており、Ｘ軸方向に移動しながらノズル１１から液体であるインクを媒体に吐出して記録を行う、インクジェット式の記録ヘッドとして構成されている。  
プリンター１において記録が行われる媒体としては、一例として普通紙の他、薄紙、厚紙、写真用紙のようなコート紙等の記録用紙が挙げられる。
【００３１】
プリンター１は、記録ユニット２の上部にスキャナー部４を備え、記録機能だけでなく、原稿の読み取り機能を備える複合機として構成されている。また、プリンター１は、通信回線を介してデータを送受信可能なファクシミリ機能を備えている。ファクシミリによって受信したデータは、記録ユニット２において媒体に記録される。
【００３２】
記録ユニット２の下方に設けられる液体格納ユニット３には、記録ヘッド１０に供給するインクを収容した不図示の液体収容体が格納される。インクは、液体格納ユニット３に格納された液体収容体から不図示のチューブを介して記録ヘッド１０に供給される。
【００３３】
記録ユニット２の背面側である−Ｙ方向側の上部には、記録ヘッド１０に向けて媒体を供給する上部供給機構７が設けられている。また、記録ユニット２の下方には、媒体を収容する媒体トレイ６と、媒体トレイ６から記録ヘッド１０に向けて媒体を供給する下部供給機構１２とが設けられている。  
記録ヘッド１０は、上部供給機構７または下部供給機構１２によって供給される媒体に記録を実行可能に構成されている。  
尚、プリンター１には、記録ユニット２に内蔵される媒体トレイ６の他、記録ユニット２の下部、或いは、液体格納ユニット３の下部に増設用の媒体収容ユニットを設けることも可能である。
【００３４】
記録ユニット２の前面側、すなわち＋Ｙ方向側には、記録ヘッド１０による記録後の媒体を排出する第１排出ローラー対３１及び第２排出ローラー対３２によって排出される媒体を受ける媒体受け部４０が設けられている。媒体受け部４０は、第１媒体受けトレイ４１と第２媒体受けトレイ４２の二段のトレイを備えている。  
第１排出ローラー対３１及び第２排出ローラー対３２は、言い換えると、「処理部」による処理後の媒体を排出する「排出手段」である。  
以下において、プリンター１における媒体搬送経路について説明した後、媒体受け部４０の詳細な構成について説明する。
【００３５】
■■■プリンターにおける媒体搬送経路■■■
図１を参照してプリンター１の媒体搬送経路について説明する。図１において、符号Ｔ１で示す実線は、媒体トレイ６から下部供給機構１２によって給送される媒体搬送経路を示している。以下、この経路を媒体搬送経路Ｔ１と言う。また、符号Ｔ２で示す一点鎖線は、上部供給機構７によって給送される媒体搬送経路を示している。この経路を媒体搬送経路Ｔ２と言う。  
また、プリンター１は、媒体の第１面への記録後に当該媒体を反転して、第１面の反対面である第２面への記録を行う、所謂、両面記録を実行可能に構成されている。図１において符号Ｔ３で示す点線は、両面記録を実行する際に、第１面への記録後の媒体を反転する際に媒体が通るスイッチバック経路Ｔ３である。  
以下において、媒体搬送経路Ｔ１、媒体搬送経路Ｔ２、スイッチバック経路Ｔ３の順に説明する。
【００３６】
＜＜＜媒体トレイからの媒体搬送経路について＞＞＞
図１に示す媒体搬送経路Ｔ１について説明する。媒体搬送経路Ｔ１には、媒体を搬送する、下部供給機構１２、反転ローラー２０、送りローラー２１、上流側搬送ローラー対３０、第１排出ローラー対３１、及び第２排出ローラー対３２が設けられている。
【００３７】
図１において、符号Ｐ１は、記録ユニット２の下部に設けられる媒体トレイ６にセットされた媒体束を表している。下部供給機構１２は、媒体トレイ６にセットされた媒体束Ｐ１が１枚ずつ送り出す。下部供給機構１２は、ピックアップローラー１６、下部給送ローラー１７、及び下部分離ローラー１８を備えている。
【００３８】
媒体トレイ６に収容された媒体束Ｐ１は、媒体トレイ６からピックアップローラー１６によって最上位の媒体がピックアップされた後、下部給送ローラー１７と下部分離ローラー１８とでニップされて、反転ローラー２０に向けて送り出される。  
ピックアップローラー１６が複数枚の媒体をピックアップした場合には、下部給送ローラー１７と下部分離ローラー１８とによって一枚に分離される。ピックアップローラー１６及び下部給送ローラー１７は、不図示の駆動源によって回転駆動される。  
尚、プリンター１は、ピックアップローラー１６、下部給送ローラー１７の他、各種ローラー類の駆動、記録ヘッド１０による記録、キャリッジ２７の駆動等を制御する制御部１９を備えている。
【００３９】
反転ローラー２０は、その外周面で媒体を反転させつつ搬送するローラーである。符号２２及び符号２４で示すローラーは、反転ローラー２０との間で媒体をニップする第１反転従動ローラー２２及び第３反転従動ローラー２４である。媒体は、反転ローラー２０によって反転されて、媒体トレイ６において上を向いていた面が下を向いた状態で送りローラー２１に向けて送られる。
【００４０】
反転ローラー２０の下流側には、送りローラー２１が設けられている。尚、反転ローラー２０及び送りローラー２１は、不図示の駆動源によって駆動される。  
符号２５で示すローラーは、送りローラー２１との間で媒体をニップする第１送り従動ローラー２５である。媒体は、送りローラー２１と第１送り従動ローラー２５とによってニップされて、送りローラー２１の下流側に位置する上流側搬送ローラー対３０に送られる。
【００４１】
上流側搬送ローラー対３０は、媒体搬送方向において、記録ヘッド１０の上流側に設けられている。上流側搬送ローラー対３０は、媒体において記録ヘッド１０により記録が行われる面の反対面に接する上流側搬送駆動ローラー３０ａと、媒体において記録ヘッド１０により記録が行われる面と接して従動回転する上流側搬送従動ローラー３０ｂと、によって構成されている。
【００４２】
媒体搬送方向において、記録ヘッド１０の下流側には、媒体を搬送する第１排出ローラー対３１及び第２排出ローラー対３２が設けられている。第１排出ローラー対３１は、媒体において記録ヘッド１０により記録が行われる面の反対面に接する第１排出駆動ローラー３１ａと、媒体において記録ヘッド１０により記録が行われる面と接して従動回転する第１排出従動ローラー３１ｂと、によって構成されている。第２排出ローラー対３２は、第１排出ローラー対３１の下流側に設けられ、媒体において記録ヘッド１０により記録が行われる面の反対面に接する第２排出駆動ローラー３２ａと、媒体において記録ヘッド１０により記録が行われる面と接して従動回転する第２排出従動ローラー３２ｂと、によって構成されている。  
上流側搬送駆動ローラー３０ａ及び第１排出駆動ローラー３１ａ、及び第２排出駆動ローラー３２ａは、不図示の駆動源によって回転駆動される。
【００４３】
上流側搬送ローラー対３０によって、媒体は、記録ヘッド１０と対向する記録領域Ｋに送られる。  
記録ヘッド１０の下方、すなわち記録ヘッド１０に対向する位置には、媒体Ｐを支持する媒体支持部材３３が設けられている。媒体支持部材３３に支持されつつ記録領域Ｋを通過する媒体に対して、記録ヘッド１０の複数のノズル１１からインクが吐出されて記録が行われる。  
記録ヘッド１０による記録後の媒体Ｐは、第１排出ローラー対３１及び第２排出ローラー対３２によって媒体受け部４０に排出される。  
尚、媒体支持部材３３には、媒体支持部材３３の支持面に媒体を吸着する吸着機構を設けることができる。吸着機構には、例えば吸引吸着や静電吸着を用いることができる。
【００４４】
＜＜＜媒体セット部からの媒体搬送経路について＞＞＞
続いて、同じく図１を参照して、媒体セット部８から上部供給機構７によって給送される媒体の搬送経路である媒体搬送経路Ｔ２について説明する。  
上部供給機構７によって給送される媒体は、媒体セット部８にセットされる。媒体セット部８には複数枚の媒体をセット可能である。図１において、媒体セット部８にセットされた媒体束を符号Ｐ２で示している。もちろん、媒体セット部８には一枚の媒体をセットすることも可能である。  
媒体セット部８は、媒体搬送方向の上流側に設けられる回動軸８ａに対して揺動するホッパーとして形成されている。
【００４５】
媒体セット部８の下流側には、上部供給機構７を構成する上部給送ローラー１３、上部分離ローラー１４、及び下流側給送ローラー対１５が設けられている。  
媒体セット部８は、先端が上部給送ローラー１３に近づくように揺動し、媒体セット部８にセットされた媒体束Ｐ２の最上位の媒体が上部給送ローラー１３の回転によって下流側に給送される。上部分離ローラー１４は、上部給送ローラー１３との間で媒体をニップして、複数の媒体を１枚に分離する。
【００４６】
上部給送ローラー１３によって給送される媒体は、更に下流側給送ローラー対１５によって下流側に送られる。下流側給送ローラー対１５は、下流側給送駆動ローラー１５ａと、これに従動回転する下流側給送従動ローラー１５ｂとを備えて構成される。  
上部給送ローラー１３及び下流側給送駆動ローラー１５ａは、不図示の駆動源によって回転駆動される。
【００４７】
媒体搬送経路Ｔ２は、送りローラー２１と第１送り従動ローラー２５とのニップ位置の上流側の第１合流部Ｇ１において、前述した媒体搬送経路Ｔ１に合流する。  
媒体搬送経路Ｔ２を搬送される媒体は、第１合流部Ｇ１から媒体搬送経路Ｔ１に入り、その後は媒体トレイ６から給送された媒体と同様、上流側搬送ローラー対３０によって記録領域Ｋに送られて記録ヘッド１０による記録が行われた後、第１排出ローラー対３１及び第２排出ローラー対３２によって媒体受け部４０に排出される。
【００４８】
＜＜＜両面記録について＞＞＞
続いて、図１を参照して、両面記録を行う場合の搬送経路であるスイッチバック経路Ｔ３について説明する。  
両面記録を行う場合、媒体の第１面に記録が行われた後、上流側搬送ローラー対３０、第１排出ローラー対３１、及び第２排出ローラー対３２を、記録時の回転方向の逆方向に回転させる。このことによって、媒体は記録ヘッド１０によって記録を行う場合の媒体搬送方向である＋Ｙ方向とは反対の逆搬送方向である−Ｙ方向に搬送される。−Ｙ方向に搬送される媒体は、スイッチバック経路Ｔ３に入る。  
スイッチバック経路Ｔ３において、媒体は、送りローラー２１と第２送り従動ローラー２６とにニップされて−Ｙ方向に搬送され、更に、反転ローラー２０と第２反転従動ローラー２３とにニップされて−Ｙ方向に搬送される。
【００４９】
スイッチバック経路Ｔ３は、反転ローラー２０と第３反転従動ローラー２４とのニップ位置の上流側の第２合流部Ｇ２において媒体搬送経路Ｔ１に合流しており、媒体は、媒体搬送経路Ｔ１に入るとともに反転ローラー２０によって反転されて搬送される。このことによって、媒体は、直近の記録面である第１面が下を向き、第２面が上側、すなわち、記録ヘッド１０に対向する姿勢で記録領域Ｋに送られる。  
記録領域Ｋにおいて記録ヘッド１０による第２面への記録が行われた後、媒体は、媒体受け部４０に向けて排出される。
【００５０】
■■■媒体受けトレイについて■■■
以下において、図２及び図３を参照して媒体受け部４０について説明する。図２に示す本実施形態の媒体受け部４０は、第１媒体受けトレイ４１と、第２媒体受けトレイ４２との二段のトレイを備えて形成されている。第１媒体受けトレイ４１及び第２媒体受けトレイ４２のそれぞれは、第１排出ローラー対３１及び第２排出ローラー対３２によって排出される媒体を受けるトレイである。  
第２媒体受けトレイ４２は、鉛直方向に沿う高さ方向、すなわち、Ｚ軸方向において第１媒体受けトレイ４１の下方に設けられている。
【００５１】
第１媒体受けトレイ４１は、図３の上図に示すように、第２媒体受けトレイ４２の上部を覆い、媒体Ｐを受ける第１状態と、図３の下図に示すように、第２媒体受けトレイ４２を開放し、第２媒体受けトレイ４２に媒体Ｐが受けられるようにする第２状態と、の間で変位可能に構成されている。
【００５２】
より具体的には、第１媒体受けトレイ４１は、媒体排出方向の下流側である＋Ｙ側の端部に回動軸４３を有し、第１状態と第２状態との間で回動可能に構成されている。  
回動軸４３に対して回動することにより第１媒体受けトレイ４１の第１状態と第２状態との切り換えを簡単な構成で実現できる。
【００５３】
第１媒体受けトレイ４１の第１状態と第２状態との切り換えは、制御部１９によって制御される。言い換えると、制御部１９は、第１排出ローラー対３１及び第２排出ローラー対３２によって排出される媒体Ｐ（図３）の排出先を、第１媒体受けトレイ４１と第２媒体受けトレイ４２とのいずれかに切り換える。  
本実施形態では、図３に示す駆動源としてのモーター２８の駆動を制御部１９が制御することにより、第１媒体受けトレイ４１の第１状態と第２状態とを切り換えるように構成されている。モーター２８の動力は、図示を省略する動力伝達手段を介して回動軸４３に伝達される。
【００５４】
本発明において、制御部１９は、第１排出ローラー対３１及び第２排出ローラー対３２によって排出される媒体における記録データ、すなわち、記録ヘッド１０によって記録される記録データに基づいて、第１媒体受けトレイ４１の第１状態と第２状態とを切り換える点が特徴である。  
以下、制御部１９による記録データに基づく第１媒体受けトレイ４１の第１状態と第２状態とを切り換えの具体例について説明する。
【００５５】
制御部１９は、記録データがファクシミリの受信データである場合に、媒体Ｐの排出先を第２媒体受けトレイ４２にする。  
ファクシミリの受信データには、機密情報が含まれる場合がある。媒体Ｐに記録される記録データが、ファクシミリの受信データである場合に、媒体Ｐの排出先を第２媒体受けトレイ４２にすることにより、機密情報が含まれる可能性のある書類を、人目に触れ難い第２媒体受けトレイ４２に排出する構成とすることができる。  
ファクシミリの受信データであれば全て第２媒体受けトレイ４２に排出する構成とする場合の他、例えば、所定の送信元からのファクシミリである場合に、制御部１９が媒体Ｐの排出先を第２媒体受けトレイ４２にすることも可能である。
【００５６】
また、制御部１９は、記録データに所定の文字が含まれている場合に、媒体Ｐの排出先を第２媒体受けトレイ４２にする。  
記録データに含まれる所定の文字としては、例えば、「秘密」、「社外秘」、「ｃｏｎｆｉｄｅｎｔｉａｌ」等の機密情報を意味する文字を設定することができる。このような文字が含まれている場合、第２媒体受けトレイ４２に媒体を排出する。このことによって、機密情報が記録されている可能性のある媒体Ｐを、人目に触れ難い第２媒体受けトレイ４２に排出することができる。
【００５７】
記録データがテキストデータを含む場合には、制御部１９がテキストデータに所定の文字が含まれているか否かを判断する。また、例えば、スキャナー部４による読み取り画像を記録ユニット２で記録する場合には、読み取り画像をＯＣＲ（Ｏｐｔｉｃａｌ  Ｃｈａｒａｃｔｅｒ  Ｒｅｃｏｇｎｉｔｉｏｎ、光学的文字認識とも言う）でテキストデータに変換し、これに所定の文字が含まれているか否かを制御部１９が判断する構成とすることができる。  
制御部１９が判断に用いる所定の文字としては、機密情報を示す文字以外の文字を設定することも可能である。また、所定の文字は、例えば、ユーザーがプリンタードライバーにおいて任意のキーワードを設定可能に構成することもできる。
【００５８】
また、制御部１９は、記録データに電子透かし情報が含まれている場合に、媒体Ｐの排出先を第２媒体受けトレイ４２にする。  
電子データで作成した書類には、「秘密」、「社外秘」、「ｃｏｎｆｉｄｅｎｔｉａｌ」等の機密情報を意味する文字を電子透かしとして入れる場合がある。制御部１９が、記録データに電子透かし情報が含まれている場合に、媒体Ｐの排出先を第２媒体受けトレイ４２にすることにより、機密情報が記録されている可能性がある媒体Ｐを、視認し難い第２媒体受けトレイ４２に排出することができる。
【００５９】
以上、説明した制御部１９による制御を、図４に示すフローチャートを参照して説明する。  
まず、ステップＳ１において媒体Ｐへの記録を実行する。媒体Ｐへの記録後、制御部１９は、記録データがファクシミリの受信データであるか否か、或いは、記録データが「秘密」、「社外秘」、「ｃｏｎｆｉｄｅｎｔｉａｌ」等の所定の文字を含むデータであるか否か、或いは、記録データが電子透かし情報を含むデータであるか否か、の少なくとも一つを判断するステップＳ２を行う。
【００６０】
ステップＳ２においてＹＥＳの場合、ステップＳ３に進み、制御部１９は第１媒体受けトレイ４１を第２状態（図３の下図）とし、更にステップＳ４に進み、媒体Ｐを第２媒体受けトレイ４２に排出する。第２媒体受けトレイ４２への媒体Ｐの排出後、ステップＳ５において第１媒体受けトレイ４１を第１状態に戻して終了する。
【００６１】
また、ステップＳ２においてＮＯの場合、ステップＳ６に進み、制御部１９は第１媒体受けトレイ４１を第１状態（図３の上図）とし、更にステップＳ７に進み、媒体Ｐを第１媒体受けトレイ４１に排出して終了する。  
尚、ステップＳ２の判断は、媒体Ｐへの記録実行前、すなわちステップＳ１の前に行うことも可能である。
【００６２】
以上のように、制御部１９が、排出される媒体Ｐにおける記録データに基づいて、第１媒体受けトレイ４１の第１状態と第２状態とを切り換えることにより、媒体Ｐにおける記録内容に応じて、媒体Ｐを第１媒体受けトレイ４１に排出するか、外部から視認され難い第２媒体受けトレイ４２に排出するか、を選択することができる。
【００６３】
また、制御部１９は、記録ヘッド１０における記録前に設定された排出先である第１の排出先と、記録データに基づいて制御部１９が決定する排出先である第２の排出先と、が異なる場合に、媒体の排出先を第２の排出先にするように構成することができる。つまり、プリンター１において予め設定された第１の排出先か、制御部１９が決定する第２の排出先か、のいずれかが第２媒体受けトレイ４２である場合、媒体を第２媒体受けトレイに排出する。
【００６４】
例えば、プリンター１において、予め設定されている排出先が第１媒体受けトレイ４１（第１の排出先）に設定されており、記録データに基づいて制御部１９が決定した排出先が第２媒体受けトレイ４２（第２の排出先）であった場合、制御部１９は、媒体を第２媒体受けトレイ４２に排出する。  
このことによって、標準の排出先が第１媒体受けトレイ４１であっても、制御部１９が第２媒体受けトレイ４２に排出すべきと判断した媒体を、第２媒体受けトレイ４２に排出することができる。
【００６５】
また、プリンター１において、予め設定されている排出先が第２媒体受けトレイ４２（第１の排出先）に設定されており、記録データに基づいて制御部１９が決定した排出先が第１媒体受けトレイ４１（第２の排出先）であった場合、制御部１９は、媒体を第２媒体受けトレイ４２に排出する。  
つまり、制御部１９が、外部から視認され易い第１媒体受けトレイ４１に媒体を排出してもよいと判断したとしても、プリンター１における排出先の設定が第２媒体受けトレイ４２であれば、媒体を予め設定された通り第２媒体受けトレイ４２に排出することができる。  
尚、第１の排出先と第２の排出先が異なった場合、媒体の排出前に、アラートを表示するように構成すると良い。アラートは、不図示の表示部に確認メッセージを表示したり、警告ランプによって表示したりすることができる。また、アラート表示後に、第１の排出先に排出するか、第２の排出先に排出するかを選択可能に構成することもできる。
【００６６】
＜＜＜媒体受けトレイにおける他の構成＞＞＞
本実施形態において、第１媒体受けトレイ４１は、例えば、不透明色の樹脂材料や金属等の不透明な材料により形成されていることが好ましい。第１媒体受けトレイ４１が、不透明な材料により形成されていることにより、第２媒体受けトレイ４２に排出された媒体が一層外部から視認し難くなり、第２媒体受けトレイ４２に排出された媒体の秘匿性を高めることができる。  
第１媒体受けトレイ４１は、完全に不透明な材料でなくとも、例えば、磨りガラス状に曇った半透明な材料や、表面にエンボス加工を施す等により第１媒体受けトレイ４１の下が透けて見え難くされた透明材料で形成してもよい。
【００６７】
図２及び図３において、符号４５は、媒体排出方向の下流側（＋Ｙ側）において第１媒体受けトレイ４１と第２媒体受けトレイ４２とを接続する接続部である。接続部４５は、第２媒体受けトレイ４２に排出された媒体Ｐの下流側への移動を規制する。
【００６８】
また、媒体受け部４０には、第２媒体受けトレイ４２への媒体の排出があった場合に、第１媒体受けトレイ４１を第１状態にロックするロック機構を設けることができる。
【００６９】
＜＜＜媒体受けトレイの第１の変更例＞＞＞
以下、本実施形態に係る媒体受け部４０の変更例について説明する。尚、媒体受け部４０と同じ構成部については、媒体受け部４０と同じ符号を付して、その説明を省略する。  
図５に示す媒体受け部４０Ａは、第１媒体受けトレイ４１は、媒体Ｐの媒体排出方向下流側（＋Ｙ側）への移動を規制する下流側規制部４６を備えている。下流側規制部４６は、図５において実線で示すように、第１媒体受けトレイ４１に載置された媒体Ｐの媒体排出方向の下流側への移動を規制する規制状態と、図５において点線で示すように、媒体Ｐの媒体排出方向の下流側への移動を許容する許容状態と、の間で切り換え可能に構成されている。
【００７０】
規制状態の下流側規制部４６は、第１媒体受けトレイ４１の載置面に対して交差するように立設された姿勢をとり、許容状態の下流側規制部４６は、第１媒体受けトレイ４１の載置面に沿って延設された姿勢をとる。  
第１媒体受けトレイ４１に媒体Ｐが排出される際や、第１媒体受けトレイ４１を媒体Ｐが載置された状態で第２状態にする場合には、下流側規制部４６を規制状態とすることにより、第１媒体受けトレイ４１上において媒体Ｐの下流側端部を揃えることができる。また、媒体Ｐが第１媒体受けトレイ４１から落下することを抑制することができる。  
第１媒体受けトレイ４１に載置された媒体Ｐを取り出す際には、下流側規制部４６を許容状態とすることにより、第１媒体受けトレイ４１からの媒体Ｐの取り出しが容易になる。
【００７１】
＜＜＜媒体受けトレイの第２の変更例＞＞＞
次に、図６に示す媒体受け部４０Ｂおいて、第１媒体受けトレイ４１の下方に位置する第２媒体受けトレイ４２Ｂは、底部に媒体取り出し部４７を備えている。媒体取り出し部４７は、一例として、媒体排出方向の上流側（−Ｙ側）に回動軸４７ａを有し、第２媒体受けトレイ４２Ｂに対して開閉可能に構成されている。尚、図６は媒体取り出し部４７が開いた状態を示している。媒体取り出し部４７は、閉じると第２媒体受けトレイ４２Ｂと面一になる。
【００７２】
媒体取り出し部４７が設けられていることにより、第１媒体受けトレイ４１を第２状態にすることなく第２媒体受けトレイ４２Ｂに排出される媒体Ｐを取り出すことができる。つまり、第２媒体受けトレイ４２Ｂからの媒体Ｐの取り出しを容易に行うことができる。
【００７３】
＜＜＜媒体受けトレイの第３の変更例＞＞＞
続いて、図７に示す媒体受け部４０Ｃおいて、第１媒体受けトレイ４１Ｃは、回動軸４８を中心に回動する回動部４１ａと基部４１ｂとを備えている。基部４１ｂは、接続部４５を介して第２媒体受けトレイ４２と接続されている。回動軸４８は、基部４１ｂの上流側（−Ｙ側）に設けられている。
【００７４】
第１媒体受けトレイ４１Ｃは、図７において実線で示す回動部４１ａと基部４１ｂとによって第２媒体受けトレイ４２の上部を覆うとともに、媒体Ｐを受ける第１状態と、図７において点線で示すように回動部４１ａが回動し、第２媒体受けトレイ４２の一部を開放するとともに、第２媒体受けトレイ４２に媒体Ｐが受けられるようにする第２状態と、を切り換え可能に構成されている。
【００７５】
回動部４１ａは、第１媒体受けトレイ４１Ｃにおける媒体排出方向の下流側端部よりも上流側に設けられている。このことにより、図３に示す媒体受け部４０の第１媒体受けトレイ４１のように、回動軸４３が媒体排出方向の下流側端部に設けられている場合よりも、第２媒体受けトレイ４２が開放される範囲が狭くなる。したがって、第２媒体受けトレイ４２へ媒体Ｐが排出されている最中における秘匿性を高めることができる。
【００７６】
［第２実施形態］
本実施形態では、図８を参照して、媒体受け部の他の例である媒体受け部５０について説明する。  
尚、本実施形態以降の実施形態において、第１実施形態と同じ構成部については、第１実施形態と同じ符号を付して、その説明を省略する。
【００７７】
媒体受け部５０は、二段のトレイである第１媒体受けトレイ５１及び第２媒体受けトレイ５２を備えている。第２媒体受けトレイ５２は、第１媒体受けトレイ５１の下方に設けられている。第１媒体受けトレイ５１と第２媒体受けトレイ５２は、接続部５３を介して接続されている。これにより、第１媒体受けトレイ５１及び第２媒体受けトレイ５２は、高さ方向であるＺ軸方向における相対的な位置関係が固定されている。
【００７８】
第１媒体受けトレイ５１及び第２媒体受けトレイ５２は、高さ方向における相対的な位置関係を維持しつつ、図８の上図に示すように第１媒体受けトレイ５１が媒体を受ける第１位置Ｚ１と、図８の下図に示すように第２媒体受けトレイ５２が媒体を受ける第２位置Ｚ２と、の間で変位可能に構成されている。尚、図８において、第１位置Ｚ１及び第２位置Ｚ２は、一例として第１媒体受けトレイ５１の下流側端部の位置を基準としている。
【００７９】
本実施形態では、第１媒体受けトレイ５１及び第２媒体受けトレイ５２は、駆動源としてのモーター２８の駆動を制御部１９が制御することにより、第１媒体受けトレイ５１及び第２媒体受けトレイ５２を高さ方向に変位させるように構成されている。モーター２８の動力は、図示を省略する動力伝達手段を介して第１媒体受けトレイ５１及び第２媒体受けトレイ５２の少なくともいずれかに伝達される。
【００８０】
制御部１９は、第１実施形態と同様、第１排出ローラー対３１及び第２排出ローラー対３２によって排出される媒体Ｐに記録されている記録データに基づいて、第１媒体受けトレイ５１及び第２媒体受けトレイ５２の位置を第１位置Ｚ１と第２位置Ｚ２との間で切り換え、以って、第１媒体受けトレイ５１で媒体Ｐを受けるか、第２媒体受けトレイ５２で媒体Ｐを受けるかを切り換えることができる。  
記録データに基づく制御部１９による制御は、第１実施形態における第１状態を、本実施形態における第１位置Ｚ１、第１実施形態における第２状態を、本実施形態における第２位置Ｚ２と読み換えることで、同様に実行することができるので、その説明は省略する。
【００８１】
第２媒体受けトレイ５２の底部には、媒体取り出し部５４が設けられている。媒体取り出し部５４は、媒体排出方向の上流側（−Ｙ側）に設けられる回動軸５５を中心として回動し、第２媒体受けトレイ５２に対して開閉する。図８の下図において、実線で示す媒体取り出し部５４は閉じた状態を示しており、図８の下図において、点線で示す媒体取り出し部５４は開いた状態を示している。  
媒体取り出し部５４が設けられていることにより、第２媒体受けトレイ５２からの媒体Ｐの取り出しを容易に行うことができる。  
また、媒体取り出し部５４には、第２媒体受けトレイ５２への媒体Ｐの排出があった場合にロックするロック機構を設けることができる。
【００８２】
以上、媒体処理装置の一例としてプリンターを実施形態として説明したが、例えば、搬送される媒体に対して画像読み取り処理を行うスキャナーにおいて、読み取り後の媒体を受ける媒体受け部や、記録装置に連結されて、記録後の媒体にステイプル処理等の後処理を行う後処理装置において、後処理後の媒体を受ける媒体受け部に対しても同様に対応することができる。
【００８３】
また、本発明は上記において説明した実施形態に限定されることなく、特許請求の範囲に記載した発明の範囲内で、種々の変形が可能であり、それらも本発明の範囲内に含まれるものであることは言うまでもない。
【符号の説明】
【００８４】
１…インクジェットプリンター（媒体処理装置）、２…記録ユニット、３…液体格納ユニット、４…スキャナー部、６…媒体トレイ、７…上部供給機構、８…媒体セット部、１０…記録ヘッド（処理部、記録部）、１１…ノズル、１２…下部供給機構、１３…上部給送ローラー、１４…上部分離ローラー、１５…下流側給送ローラー対、１５ａ…下流側給送駆動ローラー、１５ｂ…下流側給送従動ローラー、１６…ピックアップローラー、１７…下部給送ローラー、１８…下部分離ローラー、１９…制御部、２０…反転ローラー、２１…送りローラー、２２…第１反転従動ローラー、２３…第２反転従動ローラー、２４…第３反転従動ローラー、２５…第１送り従動ローラー、２６…第２送り従動ローラー、２７…キャリッジ、２８…モーター、３０…上流側搬送ローラー対、３１…第１排出ローラー対、３２…第２排出ローラー対、３３…媒体支持部材、４０…媒体受け部、４１…第１媒体受けトレイ、４２…第２媒体受けトレイ、４３…回動軸、４４…上流側規制部、４５…接続部、４６…下流側規制部、４７…媒体取り出し部、４８…回動軸、５０…媒体受け部、５１…第１媒体受けトレイ、５２…第２媒体受けトレイ、５３…接続部、５４…媒体取り出し部、５５…回動軸、Ｐ…媒体、Ｐ１、Ｐ２…媒体束、Ｔ１…媒体搬送経路、Ｔ２…媒体搬送経路、Ｔ３…スイッチバック経路、Ｇ１…第１合流部、Ｇ２…第２合流部
【図１】
2020011810.tif 000003
【図２】
2020011810.tif 000004
【図３】
2020011810.tif 000005
【図４】
2020011810.tif 000006
【図５】
2020011810.tif 000007
【図６】
2020011810.tif 000008
【図７】
2020011810.tif 000009
【図８】
2020011810.tif 000010